【手続補正書】
【提出日】平成19年8月24日(2007.8.24)
【手続補正１】
【補正対象書類名】明細書
【補正対象項目名】発明の名称
【補正方法】変更
【補正の内容】
【発明の名称】エンタテインメント装置、エンタテインメントシステム、記録媒体及び振動設定方法
【手続補正２】
【補正対象書類名】明細書
【補正対象項目名】特許請求の範囲
【補正方法】変更
【補正の内容】
【特許請求の範囲】
【請求項１】
少なくとも使用者による操作要求を出力し、外部からの要求によって使用者に振動を与える振動発生装置を有する操作装置が接続可能とされたエンタテインメント装置において、
前記操作装置からの振動設定に関する操作入力を受け取る手段と、
前記振動発生装置にて発生する振動の強弱を、受け取った前記振動設定に関する操作入力に従って設定する振動設定手段とを有することを特徴とするエンタテインメント装置。
【請求項２】
請求項１記載のエンタテインメント装置において、
前記振動設定手段による前記振動の強弱の設定中に、該設定中の前記振動の強弱に従った振動を出力するように前記振動発生装置を制御する振動出力手段を有することを特徴とするエンタテインメント装置。
【請求項３】
請求項２記載のエンタテインメント装置において、
前記振動出力手段は、前記設定中の前記振動の強弱に従った振動を繰り返し出力するように前記振動発生装置を制御することを特徴とするエンタテインメント装置。
【請求項４】
請求項２記載のエンタテインメント装置において、
音声を出力する音声出力装置が接続可能とされ、
前記振動設定手段による前記振動の強弱の設定中に、該設定中の前記振動の強弱に対応した種類の音源及び／又は音程の音声を、前記振動出力手段からの振動に合わせて出力するように前記音声出力装置を制御する音声出力手段を有することを特徴とするエンタテインメント装置。
【請求項５】
請求項１記載のエンタテインメント装置において、
画像を表示するための表示装置が接続可能とされ、
前記振動設定手段による前記振動の強弱の設定中に、該設定中の前記振動の強弱に対応した長さのバーを前記表示装置に表示するように制御するバー表示手段を有することを特徴とするエンタテインメント装置。
【請求項６】
各種プログラムを実行するエンタテインメント装置と、
使用者による操作要求を前記エンタテインメント装置に入力する少なくとも１つの操作装置とを有するエンタテインメントシステムにおいて、
前記操作装置内に、外部からの要求によって使用者に振動を与える振動発生装置を有し、
前記操作装置からの振動設定に関する操作入力を受け取る手段と、
前記振動発生装置にて発生する振動の強弱を、受け取った前記振動設定に関する操作入力に従って設定する振動設定手段とを有することを特徴とするエンタテインメントシステム。
【請求項７】
少なくとも使用者による操作要求を出力し、外部からの要求によって使用者に振動を与える振動発生装置を有する操作装置が接続可能とされたエンタテインメント装置を、
前記操作装置からの振動設定に関する操作入力を受け取る手段、
前記振動発生装置にて発生する振動の強弱を、受け取った前記振動設定に関する操作入力に従って設定する振動設定手段、
として機能させるためのプログラムが記録されたコンピュータ読取り可能な記録媒体。
【請求項８】
少なくとも使用者による操作要求を出力し、外部からの要求によって使用者に振動を与える振動発生装置を有する操作装置が接続可能とされたエンタテインメント装置にて使用される振動設定方法において、
前記操作装置からの振動設定に関する操作入力を受け取るステップと、
前記振動発生装置にて発生する振動の強弱を、受け取った前記振動設定に関する操作入力に従って設定する振動設定ステップとを有することを特徴とする振動設定方法。
【手続補正３】
【補正対象書類名】明細書
【補正対象項目名】０００１
【補正方法】変更
【補正の内容】
【０００１】
【発明の属する技術分野】
本発明は、各種プログラムを実行するエンタテインメント装置に接続され、使用者による操作要求を前記エンタテインメント装置に入力する少なくとも１つの操作装置を有するエンタテインメントシステムと、各種プログラムを実行するエンタテインメント装置と、前記エンタテインメントシステムにて使用されるプログラムやデータが記録された記録媒体と、振動設定方法に関する。
【手続補正４】
【補正対象書類名】明細書
【補正対象項目名】０００８
【補正方法】変更
【補正の内容】
【０００８】
本発明はこのような課題を考慮してなされたものであり、ユーザ自身で振動の強弱を設定でき、しかも、その振動をいつでも享受することができるエンタテインメントシステム、エンタテインメント装置、記録媒体及び振動設定方法を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、本発明の他の目的は、ユーザ自身で振動の強弱を設定でき、しかも、その振動をいつでも享受することができ、更に、視覚を通じて、簡単に楽器の種類や音程を任意に設定することができるエンタテインメントシステム、エンタテインメント装置、記録媒体及び振動設定方法を提供することにある。
【手続補正７】
【補正対象書類名】明細書
【補正対象項目名】００１１
【補正方法】変更
【補正の内容】
【００１１】
【課題を解決するための手段】
本発明に係るエンタテインメント装置は、少なくとも使用者による操作要求を出力し、外部からの要求によって使用者に振動を与える振動発生装置を有する操作装置が接続可能とされたエンタテインメント装置において、前記操作装置からの振動設定に関する操作入力を受け取る手段と、前記振動発生装置にて発生する振動の強弱を、受け取った前記振動設定に関する操作入力に従って設定する振動設定手段とを有することを特徴とする。
【手続補正８】
【補正対象書類名】明細書
【補正対象項目名】００１２
【補正方法】変更
【補正の内容】
【００１２】
また、本発明に係るエンタテインメントシステムは、各種プログラムを実行するエンタテインメント装置と、使用者による操作要求を前記エンタテインメント装置に入力する少なくとも１つの操作装置とを有するエンタテインメントシステムにおいて、前記操作装置内に、外部からの要求によって使用者に振動を与える振動発生装置を有し、前記操作装置からの振動設定に関する操作入力を受け取る手段と、前記振動発生装置にて発生する振動の強弱を、受け取った前記振動設定に関する操作入力に従って設定する振動設定手段とを有することを特徴とする。
【手続補正９】
【補正対象書類名】明細書
【補正対象項目名】００１３
【補正方法】変更
【補正の内容】
【００１３】
また、本発明に係る記録媒体は、少なくとも使用者による操作要求を出力し、外部からの要求によって使用者に振動を与える振動発生装置を有する操作装置が接続可能とされたエンタテインメント装置を、前記操作装置からの振動設定に関する操作入力を受け取る手段、前記振動発生装置にて発生する振動の強弱を、受け取った前記振動設定に関する操作入力に従って設定する振動設定手段として機能させるためのプログラムが記録されたコンピュータ読取り可能な記録媒体である。
【手続補正１０】
【補正対象書類名】明細書
【補正対象項目名】００１４
【補正方法】変更
【補正の内容】
【００１４】
また、本発明に係る振動設定方法は、少なくとも使用者による操作要求を出力し、外部からの要求によって使用者に振動を与える振動発生装置を有する操作装置が接続可能とされたエンタテインメント装置にて使用される振動設定方法において、前記操作装置からの振動設定に関する操作入力を受け取るステップと、前記振動発生装置にて発生する振動の強弱を、受け取った前記振動設定に関する操作入力に従って設定する振動設定ステップとを有することを特徴とする。
【手続補正１１】
【補正対象書類名】明細書
【補正対象項目名】００１５
【補正方法】変更
【補正の内容】
【００１５】
これにより、操作装置に設けられた振動発生装置の振動の強弱を、ユーザ自身で設定でき、しかも、その設定された振動を使用者の好みに応じていつでも享受させることができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】変更
【補正の内容】
【００３５】
【発明の実施の形態】
以下、本発明に係るエンタテインメントシステム及びエンタテインメント装置をビデオゲーム装置に適用した実施の形態例と、本発明に係る記録媒体及び振動設定方法を前記ビデオゲーム装置で実行されるプログラムやデータが記録された記録媒体及びプログラムに適用した実施の形態例について図１〜図３７を参照しながら説明する。
【手続補正３２】
【補正対象書類名】明細書
【補正対象項目名】００７７
【補正方法】変更
【補正の内容】
【００７７】
制御系６０としては、中央演算処理装置（Ｃｅｎｔｒａｌ  Ｐｒｏｃｅｓｓｉｎｇ  Ｕｎｉｔ：ＣＰＵ）７２と、割り込み制御やダイレクトメモリアクセス（ＤＭＡ：Ｄｉｒｅｃｔ  Ｍｅｍｏｒｙ  Ａｃｃｅｓｓ）転送の制御等を行う周辺装置制御部７４と、主記憶部（メインメモリ）７６と、前記グラフィック生成系６４やサウンド生成系６６等の管理を行ういわゆるオペレーティングシステム等のプログラムが格納されたリードオンリーメモリ（ＲＯＭ：Ｒｅａｄ  Ｏｎｌｙ  Ｍｅｍｏｒｙ）７８とを備えている。ここでいうメインメモリ７６は、そのメモリ上で少なくとも前記ゲームプログラムを実行できる。
【手続補正３３】
【補正対象書類名】明細書
【補正対象項目名】００９２
【補正方法】変更
【補正の内容】
【００９２】
ここで、ＳＰＵ８８は、例えば１６ビットの音声データを４ビットの差分信号として適応予測符号化（ＡＤＰＣＭ：Ａｄａｐｔｉｖｅ  Ｄｉｆｆｅｒｅｎｔｉａｌ  ＰＣＭ）された音声データを再生するＡＤＰＣＭ復号機能と、サウンドバッファ９０に記憶されている波形データを再生することにより、効果音等を発生する再生機能と、サウンドバッファ９０に記憶されている波形データを変調させて再生する変調機能等を備えている。
【手続補正３４】
【補正対象書類名】明細書
【補正対象項目名】０１３５
【補正方法】変更
【補正の内容】
【０１３５】
回転操作子情報フラグ２７４は、図１７に示すように、左側の回転操作子４４の入力があったことを示す左側入力ビット（１／０＝入力有り／入力無し）と、左側の回転操作子４４において水平方向の入力があったことを示す水平入力ビット（１／０＝入力有り／入力無し）と、右側の回転操作子４６の入力があったことを示す右側入力ビット（１／０＝入力有り／入力無し）が配列されている。
【手続補正３５】
【補正対象書類名】明細書
【補正対象項目名】０１３６
【補正方法】変更
【補正の内容】
【０１３６】
振動音声情報テーブル２７６は、図１８に示すように、パターンの数（０〜３）に応じて４つのテーブルが用意され、各テーブルは、ステップ数に応じた数分のレコードを有する。各レコードには、左側振動値ＶL、右側振動値ＶR、打楽器決定値Ｌd及び音程決定値Ｌpが格納されるようになっている。
【手続補正３６】
【補正対象書類名】明細書
【補正対象項目名】０２４２
【補正方法】変更
【補正の内容】
【０２４２】
なお、この発明に係るエンタテインメント装置、エンタテインメントシステム、記録媒体及び振動設定方法は、上述の実施の形態に限らず、この発明の要旨を逸脱することなく、種々の構成を採り得ることはもちろんである。
【手続補正３７】
【補正対象書類名】明細書
【補正対象項目名】０２４３
【補正方法】変更
【補正の内容】
【０２４３】
【発明の効果】
以上説明したように、本発明に係るエンタテインメント装置、エンタテインメントシステム、記録媒体及び振動設定方法によれば、以下に示す効果を奏することができる。